Podtech/llm-jp-corpus-v4-ja_patent huggingface dataset:
(57)【特許請求の範囲】
【請求項１】
ケーシング内を仕切板で上下に区画し、仕切板の上方の上半部内に熱交換器、バーナ等の主要部を配設するとともに、仕切板の下方の下半部内に上記熱交換器に連通する管及び排水金具を配設して下半部を配管スペースと成し、下半部の底板の端部に排水孔を設け、下半部即ち配管スペースの開口を覆う配管カバーを着脱自在に設け、下半部の底板の端部を折曲し、立ち上げて折り返すことにより前記排水孔を覆うように断面Ｌ字形の支持端縁を形成するとともに、配管カバーの下端を折曲してケーシング内方に向けて延長し、配管カバーの下端から略水平に延びる係合部と、該係合部から下方に延びる密閉部と、該密閉部の下端から水平に延びる支持部を形成し、係合部の下面と前記支持端縁の上面との間にパッキンを設けるとともに支持部の下面と前記底板の上面との間にパッキンを設け、配管カバーの装着時には、配管カバーにより排水孔を閉塞することを特徴とする寒冷地用給湯器。
【発明の詳細な説明】
【０００１】
【発明の属する技術分野】
本発明は、寒冷地用給湯器、特に排水孔等の排水機構からの冷気の流入を防止することのできる寒冷地用給湯器に関する。
【０００２】
【従来の技術】
一般に寒冷地において用いられる寒冷地用給湯器は、例えば実開昭57−134531号公報には、箱状のケーシングの内部を仕切板または受水板により上下に区画し、熱交換器、バーナ等の給湯器の主要部を仕切板の上方の空間内に配設するとともに、仕切板の下方を配管スペースとし、該配管スペースを配管カバーで前方から覆うものが記載されている。
また、実開昭57−134532号公報には、膨張タンクの下方に受水板を配設し、該受水板に当接するケーシングの枠材を設け、受水板の水をケーシングの枠材を伝わせて機外に排出するものが記載されている。
【０００３】
【発明が解決しようとする課題】
しかしながら、上記従来の寒冷地用給湯器には次のような問題があった。
一般に、給湯器内の結露等により内部に溜まる水の排出がケーシングを通して行なわれており、ケーシングに水の排出孔が設けられているから、該排出孔から冷気が流入し、配管カバー内の空間の機密性が失われるという問題があった。
【０００４】
本発明の目的は、寒冷地に設置するのに適し、排水が可能であり、機密性を保持することのできる寒冷地用給湯器を提供することである。
【０００５】
【課題を解決するための手段】
上記目的を達成するために本発明の寒冷地用給湯器は、ケーシング内を仕切板で上下に区画し、仕切板の上方の上半部内に熱交換器、バーナ等の主要部を配設するとともに、仕切板の下方の下半部内に上記熱交換器に連通する管及び排水金具を配設して下半部を配管スペースと成し、下半部の底板の端部に排水孔を設け、下半部即ち配管スペースの開口を覆う配管カバーを着脱自在に設け、下半部の底板の端部を折曲し、立ち上げて折り返すことにより前記排水孔を覆うように断面Ｌ字形の支持端縁を形成するとともに、配管カバーの下端を折曲してケーシング内方に向けて延長し、配管カバーの下端から略水平に延びる係合部と、該係合部から下方に延びる密閉部と、該密閉部の下端から水平に延びる支持部を形成し、係合部の下面と前記支持端縁の上面との間にパッキンを設けるとともに支持部の下面と前記底板の上面との間にパッキンを設け、配管カバーの装着時には、配管カバーにより排水孔を閉塞することにより、排水孔による給湯器のケーシング内と外気との連通を遮断し、気密を保持することができ、寒冷地における排水孔からの冷風の吹き込みを防止することができる。
【０００６】
【発明の実施の形態】
図を参照して、本発明の実施例を説明する。
図２、図３及び図４において、寒冷地用給湯器１は、略箱状に形成され、一側面が開放されたケーシングの内部を仕切板１１で上下に区画し、仕切板１１の上方の上半部１Ａ内に熱交換器、バーナ等の給湯器主要部を収納し、仕切板１１の下方の下半部１Ｂ内を配管スペースと成し、上半部１Ａの前面開口を着脱自在の本体カバー１２Ａで閉塞するとともに、下半部１Ｂの前面開口を着脱自在の配管カバー１２Ｂで閉塞している。
【０００７】
下半部１Ｂ即ち配管スペース内においては、上半部１Ａ内に設けられた熱交換器（図示略）に連通する暖房往き管２と暖房戻り管３及び暖房管路排水金具４、風呂往き管５と風呂戻り管６及び風呂管路排水金具７、給水管８と給湯管９及び給湯管路排水金具１０、バーナに接続されたガス管路１３が配設されており、下半部１Ｂの底板１Ｃの端部近傍に、複数の排水孔１４が穿設されている。
【０００８】
図１において、下半部１Ｂの底板１Ｃの端部を折曲し、立ち上げて折り返すことにより、排水孔１４を覆うように断面略Ｌ字形の支持端縁１５を形成するとともに、配管カバー１２Ｂの下端を折曲してケーシング内方に向けて延長し、配管カバー１２Ｂの下端から略水平に延びる係合部１２１と、該係合部１２１の先端から下方に延びる密封部１２２と、該密封部１２２の下端から水平に延びる支持部１２３を形成する。
【０００９】
係合部１２１の下面にパッキン１６を、下半部１Ｂの底板１Ｃの支持部１２３の下面に対応する位置にパッキン１７を固定し、配管カバー１２Ｂを下半部１Ｂ即ち配管スペースの前方開口に嵌合固定してこれを閉塞する際に、係合部１２１のパッキン１６が支持端縁１５の上面に当接し、支持部１２３の下面が底板１Ｃのパッキン１７に当接し、排水孔１４を覆うとともに気密性を確保する。
なお、パッキン１６は支持端縁１５の上面に固定しても良く、また、パッキン１７は支持部１２３の下面に固定しても良いものである。
また、排水時には配管カバー１２Ｂを外すことにより、排水孔１４への流水及び通風を可能とする。
【００１０】
この構成によると、配管カバー１２Ｂを下半部１Ｂ即ち配管スペースの前方開口に嵌合固定してこれを閉塞すると、常に排水孔１４による給湯器１のケーシング内と外気との連通を遮断し、且つパッキン１６，１７により気密を保持することができ、寒冷地における排水孔１４からの冷風の吹き込みを防止することができる。
【００１１】
【発明の効果】
本発明は、上述のとおり構成されているから次に述べる効果を奏する。
仕切板の下方の下半部内に上記熱交換器に連通する管及び排水金具を配設して下半部を配管スペースと成し、下半部の底板に排水孔を設け、下半部即ち配管スペースの開口を覆う配管カバーを着脱自在に設け、配管カバーの装着時には、配管カバーにより排水孔を閉塞することにより、排水孔による給湯器のケーシング内と外気との連通を遮断し、気密を保持することができ、寒冷地における排水孔からの冷風の吹き込みを防止することができる。
【図面の簡単な説明】
【図１】  図３におけるＩ部拡大断面図である。
【図２】  本発明の給湯器の配管カバーを外した正面図である。
【図３】  本発明の給湯器の一部切欠側面図である。
【図４】  本発明の給湯器の底面図である。
【符号の説明】
１  ケーシング、１Ａ  上半部、１Ｂ  下半部（配管スペース）
１Ｃ  底板（配管スペースの）、１２Ｂ  配管カバー、１４  排水孔
１５  支持端縁、１６，１７  パッキン、１２１  係合部、１２２  密封部
１２３  支持部
【図１】
0003697709.tif 000002
【図２】
0003697709.tif 000003
【図３】
0003697709.tif 000004
【図４】
0003697709.tif 000005
(57)【特許請求の範囲】
【請求項１】
固定側端部から乗員を受け止める正面部にかけて広がる概略四角錐状をなし、かつ下面部の上記固定側端部の近傍にインフレータの取付穴を形成せしめたエアバッグを備えてなり、インフレータガスの流れを制御する整流布を、上記エアバッグ内部を上記固定側端部から上記正面部付近にかけて上下に仕切るように配設すると共に、上記整流布の固定側端部の近傍にインフレータの取付穴を形成し、この整流布の取付穴に前記エアバッグ下面部の取付穴を重合して、これら重合した取付穴にインフレータを固定したことを特徴とする助手席用エアバッグ装置。
【発明の詳細な説明】
【０００１】
【発明の属する技術分野】
本発明は助手席用エアバッグ装置に係り、特にインフレータのガスフローを制御する整流布をエアバッグ内に配設した助手席用エアバッグ装置に関するものである。
【０００２】
【従来の技術】
エアバッグ装置は、一般にガス発生器であるインフレータと、インフレータのガスにより膨張展開するエアバッグを備えている。
【０００３】
上記エアバッグ装置は運転席用に限らず助手席用のものも開発されており、かかる助手席用エアバッグ装置は、エアバッグ袋体とインフレータを収納したエアバッグケースを車両のインストルメントパネル内に固定するようになっている。
【０００４】
ところで、前記整流布を備えた助手席用エアバッグ装置の一つとして、特開平５−２６２１９５号公報に記載されるものがある。この装置はエアバッグ袋体の内部にもう１つのインナーバッグを配設したもので、インフレータからのガスを先ずインナーバッグに噴出させた後、このインナーバッグの開口や穿設した穴からガスを再び噴出させることによりインフレータガスの流路を規制するようになっている。
【０００５】
【発明が解決しようとする課題】
しかしながら、上記従来のエアバッグ装置では、乗員方向に流れるガスの向きを変えることを主眼として、上記インナーバッグが配設されており、インフレータガスを積極的にエアバッグの展開挙動に利用するものではなかった。
【０００６】
本発明は、整流布とインフレータを所定の方法で配設することにより、上記インフレータガス流をエアバッグの展開挙動に積極的に利用し、エアバッグの展開方法に多様性を与えることを目的とするものである。
【０００７】
【課題を解決するための手段】
すなわち、上記目的に適合する本発明の助手席用エアバッグ装置は、固定側端部から乗員を受け止める正面部にかけて広がる概略四角錐状をなし、かつ下面部の上記固定側端部の近傍にインフレータの取付穴を形成せしめたエアバッグを備えてなり、インフレータガスの流れを制御する整流布を、上記エアバッグ内部を上記固定側端部から上記正面部付近にかけて上下に仕切るように配設すると共に、上記整流布の固定側端部の近傍にインフレータの取付穴を形成し、この整流布の取付穴に前記エアバッグ下面部の取付穴を重合して、これら重合した取付穴にインフレータを固定したことを特徴とする。
【０００８】
【作用】
上記本発明のエアバッグ装置は、インフレータが整流布の上方でガスを噴出することから、エアバッグの上部から下部に向けてインフレータガスを回し込むことにより、上部を先に膨らませながら順次下部を膨らませることができる。
【００１０】
【実施例】
以下さらに添付図面を参照して、本発明の実施例を説明する。
図１は本発明の実施例に係るエアバッグ装置のエアバッグを取付状態で示す斜視図、図２は図１のＡ−Ａ線断面図、図３は同実施例装置のエアバッグの展開挙動を示す断面図である。
【００１１】
この実施例のエアバッグ装置は、固定側端部４から乗員を受け止める正面部１１にかけて広がる概略横倒四角錐状をなし、かつ上面部１と下面部２の夫々の両側から側面部用布３ａを延出して、これら側面部用布３ａを縫合することにより左右の側面部３を形成している。
そして、上記インフレータ５のガスの流れを制御する整流布９を、エアバッグ内部を上記固定側端部４から正面部１１付近にかけ上下に仕切るように配設している。この整流布
９は、その両側部が夫々側面部用布３ａの縫製８の残り代に縫着されていると共に、その固定側端部９ａが、上記下面部2の固定側端部２ａに重合されて縫着されている。
【００１２】
また、この実施例装置のエアバッグは、上記整流布９の固定側端部９ａの近傍にインフレータ５の取付穴１０を形成し、図１、図２に示す如く、この整流布９のインフレータ取付穴１０にエアバッグの下面部２のインフレータ取付穴６を重合して、これら重合した各取付穴６、１０に図示の如くインフレータ５とエアバッグケース(図示せず)とをリテーナにより固定している。
なお、上記実施例において整流布９の幅はエアバッグの幅とほぼ同じか、やや大きめである。
しかして、本発明実施例のエアバッグ装置は、図２に示すようにインフレータ５が整流布９の上方でガスを噴出することから、エアバッグの上部から下部に向けてインフレータガスを回し込むことにより、エアバッグの上部を先に膨らませながら順次下部を膨らませることが可能である。
【００１３】
すなわち、上記実施例の装置では、図３に示すように、ウインドシールドＷに対し先にインフレータ５のガス流が回るため、エアバッグＳをこのウインドシールドＷに沿って膨らませることができ、エアバッグＳの展開特性に多様性を与えることができる。
【００１５】
【発明の効果】
以上説明したように、本発明の助手席用エアバッグ装置は、インフレータガスの流れを制御する整流布を、エアバッグ内部を固定側端部から正面部付近にかけて上下に仕切るように配設し、かつ上記整流布とエアバッグの下面部の取付穴を重合してインフレータを取付けたものであり、インフレータが整流布の上方でガスを噴出することから、エアバッグの上部から下部に向けてインフレータガスを回し込むことにより、エアバッグの上部を先に膨らませながら順次下方を膨らませることが可能であり、エアバッグの展開挙動に多様性を付与することができるとの効果を奏するものである。
【図面の簡単な説明】
【図１】  本発明実施例のエアバッグを取付状態で示す斜視図である。
【図２】  図１のＡ−Ａ線断面図である。
【図３】  同実施例装置のエアバッグの展開挙動を示す断面図である。
【符号の説明】
１：上面部
２：下面部
２ａ：下面部の固定側端部
３：側面部
３ａ：側面部用布
４：エアバッグの固定側端部
５：インフレータ
６：インフレータの取付穴
８：側面部用布の縫製
９：整流布
１０：インフレータの取付穴
１１：正面部
Ｓ：エアバッグ
Ｄ：インストルメントパネル
Ｗ：ウインドシールド
【図１】
0003697742.tif 000002
【図２】
0003697742.tif 000003
【図３】
0003697742.tif 000004
(57)【特許請求の範囲】
【請求項１】
開口部側に外周環状部を有する筒型モータフレームと、一部を合成樹脂で被覆された積層鉄心と巻線とを有する固定子と、前記固定子と対向配置された電機子と、前記電機子の回転軸の先端に取り付けられる遠心ファンと、微少変形が可能な加圧アームを有する金属製ブラケットとより成る電動機において、前記金属製ブラケットを前記筒型モータフレームの外周環状部に固定すると同時に前記加圧アームで固定子の合成樹脂部を挟持させる構成であり、前記金属製ブラケットには外周平面部を有して、この外周平面部に複数の固定用穴が設けられて、さらに前記外周平面部の固定用穴間に前記回転軸の軸受支え部を有する帯状フレームを具備しており、さらに前記固定用穴の近辺の前記外周平面部の前記加圧アームが前記固定子側へ向かう方向へ設けられる構成を有する電動機。
【発明の詳細な説明】
【０００１】
【発明の属する技術分野】
本発明は電気掃除機等に使用される電動機に関する。
【０００２】
【従来の技術】
近年、電気機器は高効率・高出力が求められ、そのために電気機器に使用される電動機もまた小型・軽量・高効率が求められている。また、さらに自動組立も進み、電動機も自動組立のために部品点数の削減が求められている。
【０００３】
以下に従来の電気掃除機用電動機について説明する。図４は従来の電動機の半断面図である。図４において、１は中央部に軸受支え部３とその周辺にブラシ保持器１７を有した筒型モータフレームで、１８は中央部に軸受支え部８を有したブラケットである。筒型モータフレーム１とブラケット１８の間には一対の巻線１２を有する固定子１０と、軸受支え部３に取り付けられた軸受１９に支持される回転軸１５を有した回転子１４が収納されている。
【０００４】
この電動機において、固定子１０の積層鉄心は筒型モータフレームの円筒内径に圧入して筒型モータフレーム１の外周面よりポンチ打ちにて筒型モータフレーム１を変形させて固定子１０の鉄心の端面を加圧固定している。
【０００５】
【発明が解決しようとする課題】
しかしながら上記従来の構成では、固定子鉄心の固定のためのポンチ打ち工程が必要であり、また筒型モータフレームの円筒部の寸法は固定子の鉄心積層寸法より大きくする必要があるために、モータフレームの外周環状部との接続を曲率半径の大きな滑らかな形状にすると、筒型モータフレームの全長が長くなり電動機の小型・軽量化の妨げとなるという問題点を有していた。したがって本発明の目的は、電動機の組立工数を削減できるとともに、送風機として使用したときの風の電動機内部の流れの損失を低減でき、また小型・軽量化が可能な電動機を提供することにある。
【０００６】
【課題を解決するための手段】
この課題を解決するために本発明は、開口部側に外周環状部を有する筒型モータフレームと、一部を合成樹脂で被覆された積層鉄心と巻線とを有する固定子と、前記固定子と対向配置された電機子と、前記電機子の回転軸の先端に取り付けられる遠心ファンと、微少変形が可能な加圧アームを有する金属製ブラケットとより成る電動機において、前記金属製ブラケットを前記筒型モータフレームの外周環状部に固定すると同時に前記加圧アームで固定子の合成樹脂部を挟持させる構成であり、前記金属製ブラケットには外周平面部を有して、この外周平面部に複数の固定用穴が設けられて、さらに前記外周平面部の固定用穴間に前記回転軸の軸受支え部を有する帯状フレームを具備しており、さらに前記固定用穴の近辺の前記外周平面部の前記加圧アームが前記固定子側へ向かう方向へ設けられる構成を有する電動機である。
【０００７】
本発明によると、ブラケットを筒型モータフレームにねじ止め固定するだけで、同時にブラケットの加圧アームが固定子端面を加圧することで固定子の固定が確保される。従来のような固定子固定のためのポンチ止め工程やネジ止め工程を削減でき、自動組立が容易にできる。
【０００８】
本発明において、モータフレームの円筒部と外周環状部との接続を曲率半径の大きな滑らかな形状に構成すると、送風機として使用したとき筒型モータフレームの全長を長くすることなく風の電動機内部流れの損失を低減でき、高効率の電動機を提供することができる。
【０００９】
【発明の実施の形態】
以下本発明の実施例について、図面を用いて説明する。
【００１０】
図１は本発明の電動機の半断面図を示すものであり、図２〜図３は本発明のブラケットの平面図および側面図である。図１〜図３において、１は開口部側の外周環状部２と閉口部側の中央に軸受支え部３とを有した樹脂製の筒型モータフレームで、４は外周平面部５に筒型モータフレーム１との固定用穴６と固定子１０の固定用加圧アーム７と中央に軸受支え部８を有したブラケットである。１０は筒型モータフレーム１とブラケット４の間に固定された固定子で、固定子積層鉄心表面の一部を合成樹脂１１で被いつつ巻線１２を施し、ブラケット４の加圧アーム７の受け台１３を合成樹脂部に設けている。１４は固定子１０の内側に配置され筒型モータフレーム１とブラケット４の軸受支え部により保持される電機子である。電機子１４は回転軸１５の先端部に取り付けた遠心ファン１６を備えている。
【００１１】
図２に示すように、ブラケット４は固定用穴６の間に軸受支え部８を有する帯状フレーム９を設け、固定用穴６の近辺の外周平面部５より固定子側へ向かう方向へ設けられている加圧アーム７は微少変形が可能な屈折形状としている。軸受支え部８と加圧アーム７は電動機組立後に各々圧力が加わり微少変形が生じるが、各々の微少変形が他方に影響を与えないように配置されている。
【００１２】
上記構成によれば、固定子１０の固定は筒型モータフレーム１に圧入後にポンチ止めなどの工程を加えたり固定子１０を単独にネジ固定することなく、ブラケット４の固定ネジによる締め付け工程にて兼ねることができ、組立作業を容易にできる。
【００１３】
本発明は上記実施例に示す外、種々の態様に構成することができ、例えば加圧アーム７の先端を曲げて合成樹脂との接合面を大きくするように構成してもよい。
【００１４】
【発明の効果】
以上のように本発明によれば、固定子の固定作業を容易にでき、組立工数を削減して自動組立が容易にできる電動機を提供することができる。
【図面の簡単な説明】
【図１】  本発明の実施例における電動機の半断面図
【図２】  本発明の実施例における電動機の部分平面図
【図３】  本発明の実施例における電動機の部分正面図
【図４】  従来の電動機の半断面図
【符号の説明】
１  筒型モータフレーム
２  外周環状部
４  金属製ブラケット
６  固定用穴
７  加圧アーム
１０  固定子
１１  合成樹脂
１２  巻線
１４  電機子
【図１】
0003697796.tif 000002
【図２】
0003697796.tif 000003
【図３】
0003697796.tif 000004
【図４】
0003697796.tif 000005
(57)【特許請求の範囲】
【請求項１】
内部が中空になっている像の内部に、支持部から支柱を像の内部形状に沿って立設し、像の内部に発泡ウレタン等の充填材を充填し、像と支柱を充填材により一体化したことを特徴とする像の耐震補強方法。
【請求項２】
内部が中空になっている像の内部に、台座から支柱を立設し、前記支柱に複数の梁材を水平方向に固定し、最下部の梁材は鉄筋で前記台座に支持し、像の内部下方に繊維補強コンクリートを充填したことを特徴とする像の耐震補強方法。
【発明の詳細な説明】
【０００１】
【発明の属する技術分野】
本発明は、内部が中空になっている像の耐震補強方法の技術分野に属する。
【０００２】
【従来の技術】
耐震改修促進法が制定されて既存建物の耐震診断や耐震改修の検討が進められ、歴史的な建築物の保存計画も併せて進められている。歴史的な建築物の保存において、建物全体の免震化が可能ならば装飾類の保存もあまり手を加えることなく可能であるが、全ての建物を免震化することは経済的、時間的に難しいのが一般的である。耐震補強された建物で問題になりやすい、あるいは建物以上に早急に対処すべき耐震改修は、第３者障害を起こす落下物であり、例えば建物内部に飾っている彫像類が考えられる。具体的には、室内の壁面や高所に取り付けられている石膏などでできている像である。
【０００３】
図３は、従来の像の耐震補強方法を示す断面図である。内部が中空になっている像１は床台２上に載置され、像１の分割部分の裏側に開口部を設け、壁３側から補強材４、５を貫通させ、像１の内部で下部の補強材５上に支柱６を立設し、支柱６と上部の補強材４を固定するとともに、支柱６に梁材７、８を水平方向に取り付け、像１を支持させるようにしている。
【０００４】
【発明が解決しようとする課題】
しかしながら、上記従来の耐震補強方法においては、外見上目立たない中空像１の裏面に補強材４、５を貫通させるため、外見上見にくいとはいえ歴史的に価値のあるものを損傷することは問題があるし、また、中空像１が脆性的な材料で製作されている場合には、衝撃で壊れないという保証は十分ではなかった。また、建物の壁３側で支持させるため、建物の大がかりな改修工事が必要であり、さらに、像１の内部に大がかりな補強を行うため、実際には現場で補強することは不可能であり、また、像自体を加工する必要があることから像を取り外し別途工場で補強を行う必要があった。
【０００５】
本発明は、上記問題を解決するものであって、内部が中空になっている像に損傷を与えることなく現場にて確実に補強することができる耐震補強方法を提供することを目的とする。
【０００６】
【課題を解決するための手段】
上記目的を達成するために、本発明の像の耐震補強方法は、内部が中空になっている像の内部に、支持部から支柱を像の内部形状に沿って立設し、像の内部に発泡ウレタン等の充填材を充填し、像と支柱を充填材により一体化したことを特徴とする。
また、本発明の像の耐震補強方法は、内部が中空になっている像の内部に、台座から支柱を立設し、前記支柱に複数の梁材を水平方向に固定し、最下部の梁材は鉄筋で前記台座に支持し、像の内部下方に繊維補強コンクリートを充填したことを特徴とする。
以上
【０００７】
【発明の実施の形態】
以下、本発明の実施の形態を図面を参照しつつ説明する。図１は、本発明の像の耐震補強方法の１実施形態を示し、図１（Ａ）は建物内部の概観図、図１（Ｂ）は断面図である。
【０００８】
図１（Ａ）において、教会等の建物壁面３の高所の張り出し部３ａには像１が設置されている。このような像１は、石膏などでできていて内部が中空となった像が多い。この像１の耐震補強を行う場合には、図１（Ｂ）に示すように、壁３の張り出し部３ａに固定ベース１０をボルト１１により取り付け、支持部である固定ベース１０から支柱１２を像１の内部の形状に沿って立設し、像１の内部に発泡ウレタン等の充填材料１３を充填し、像１と支柱１２を充填材料１３により一体化させている。これにより、大きな地震慣性力が作用しても像を壊すような応力集中を生じさせないようにすることができる。
【０００９】
図２は、本発明の像の耐震補強方法の他の実施形態を示す断面図である。本実施形態は比較的大型の像に適用する例である。像１は、床２上の台座１５上に載置し、支持部である床２から像１の内部に向けて多数のスタッド１６ａを有する鉄骨等の支柱１６を立設し、支柱１６に複数の梁材１７を水平方向に取り付け、最下部の梁材１７は鉄筋１８により台座１５に支持させるようにし、像１の内部下方にスチールファイバーコンクリート等の繊維補強コンクリート１９を充填する。
【００１０】
【発明の効果】
以上の説明から明らかなように、本発明によれば、内部が中空になっている像に損傷を与えることなく現場にて確実に補強することができる。また、建物の改修工事が不要であるとともに、万一像の分割部分が損傷を受けても像内部の支柱により脱落等の恐れがない。特に、室内の壁面や高所に取り付けられている石膏などでできている内部が中空となった像の耐震補強に有効である。
【図面の簡単な説明】
【図１】本発明の像の耐震補強方法の１実施形態を示し、図１（Ａ）は建物内部の概観図、図１（Ｂ）は断面図である。
【図２】本発明の像の耐震補強方法の他の実施形態を示す断面図である。
【図３】従来の像の耐震補強方法を示す断面図である。
【符号の説明】
１…像、２、１０…支持部、１２、１６…支柱、１３…充填材料、１７…梁材１９…繊維補強コンクリート
【図１】
0003697493.tif 000002
【図２】
0003697493.tif 000003
【図３】
0003697493.tif 000004
(57)【特許請求の範囲】
【請求項１】
高速回転するロ−タ−の周囲をステ−タ−で囲み、該ステ−タ−の間隙に処理液を通して混合、攪拌、分散等するタ−ボミキサ−において、上記ロ−タ−を回転する中心軸を低速で回転する回転筒を通して下方に延出し、該中心軸の下端にロ−タ−を設け、上記回転筒にタンク内壁に沿うブレ−ドを設け、該ブレ−ドの内方に上記ロ−タ−に向けて支持部材を形成し、該支持部材に上記ロ−タ−を取り囲むステ−タ−を取り付けたことを特徴とする同芯二軸タ−ボミキサ−。
【発明の詳細な説明】
【０００１】
【発明の属する技術分野】
本発明は、処理液をタンク内で混合、攪拌、分散等するミキサ−に関し、特にタンクの中央部に高速で回転するロ−タ−と該ロ−タ−を取り囲むステ−タ−を設け、該ステ−タ−の間隙を通して処理液を流動させ処理を行うようにしたタ−ボミキサ−に係るものである。
【０００２】
【従来の技術】
ホモジナイザ−、タ−ボミキサ−等のタ−ボ機構を有するミキサ−は、タンク上方のフレ−ムからタンク内に回転軸を延設し、その下端にロ−タ−を取り付けると共に上記回転軸の周囲のフレ−ムに上記回転軸に沿って下方に延びる複数のロッドを固定し、該ロッドの下端に上記ロ−タ−の周囲を取り囲むようにステ−タ−を取り付け、上記ロ−タ−を高速回転させてタンク内の処理液をロ−タ−部に吸い込み、上記ステ−タ−に形成した間隙を通過させるように構成されているが、処理液の粘度が高くなるとロ−タ−周辺の処理液のみが吸い込まれてタンク内の全体、特に外周部の処理液の移動が不充分になり、効率良く処理を行うことができなかった。
【０００３】
上記タンク内に外周部の処理液を流動させるよう別の攪拌翼等を設ければ上述の如き現象を解消することができるが、タンク上方のフレ−ムの回転軸の周囲にはステ−タ−を保持するロッドが該回転軸に沿って設けられているので、該回転軸側から該ロッドの外側に設けた攪拌翼等を回転させることは該ロッドが邪魔になって困難であった。一方、タンクの中央部を外して偏心した攪拌翼を設けると、タンク内の処理液の流動が非対称となり、振動を生ずる原因となって好ましいとは言えない。
【０００４】
【発明の解決課題】
本発明は、上記のようにロ−タ−と該ロ−タ−を取り囲むステ−タ−を有するタ−ボ式のミキサ−において、処理液の粘度が高いものであってもタンク内の全体を処理液が流動して効果的に混合、攪拌、分散等できるタ−ボミキサ−を提供することを目的とする。
【０００５】
【課題解決の手段】
本発明によれば、タンクの上方に低速で回転する回転筒を設け、該回転筒の内方に中心軸を挿通し、該中心軸の下端にロ−タ−を設け、上記回転筒にタンクの内壁に沿って回動するようブレ−ドを設け、該ブレ−ドに上記ロ−タ−方向に向けて支持部材を形成し、該支持部材に上記ロ−タ−を取り囲むステ−タ−を取り付けたことを特徴とする同芯二軸タ−ボミキサ−が提供され、上記ロ−タ−はタンクの中央で高速で回転し、上記ブレ−ドにより低速で攪拌された処理液は一部に滞留したりせずにタンク内を全体的に流動して上記ロ−タ−、ステ−タ−部に吸い込まれ、混合、攪拌、分散等され、上記目的を達成することができる。
【０００６】
【発明の実施の形態】
図において、タンク（１）の上方には、図を略した駆動源により高速で回転される中心軸（２）があり、該中心軸（２）は、他の駆動源により低速で回転される回転筒（３）の中心を通って下方に延出している。該中心軸（２）の下端にはタ−ボ機構を構成するロ−タ−（４）が設けられている。
【０００７】
該ロ−タ−（４）は、図２，図３に示すように、上下面に外周に開口する溝（５），（５）・・・を形成したロ−タ−本体（６）と、該ロ−タ−本体（６）に向けタンク内の処理液を上方から送り込むようにした上部パドルブレ−ド（７）と下方から送り込むようにした下部パドルブレ−ド（８）を有している。
【０００８】
上記回転筒（３）には、タンク内壁に沿って回動する形状のブレ−ド（９）が設けられている。図において、該ブレ−ド（９）は枠形ブレ−ドを用いているが、スパイラルリボンやその他適宜のブレ−ドを用いることができる。
【０００９】
上記ブレ−ド（９）の適宜位置、図においては該ブレ−ドの縦枠部分には、上記ロ−タ−（４）に向けて支持部材(10)を設けてある。該支持部材(10)は、図においては、ロッド等の棒状部材で形成してあるが、板状部材や網状部材で構成してもよい。なお、該支持部材(10)は、ブレ−ド（９）の底枠部分や上枠部分に取り付けてもよい。
【００１０】
上記支持部材(10)には、上記ロ−タ−（４）を取り囲むステ−タ−(11)が取り付けられている。該ステ−タ−(11)は、図２，図３に示すように環状の上板(12)と下板(13)の間にチップ片(14)・・・が放射状に多数間隙(15)・・・をあけて設けられ、また適宜位置には上記上板(12)，下板(13)の間に挟着される筒状のブロック片(16)が設けられている。そして、上記支持部材(10)と上記ブロック片(16)部分をボルト(17)等の固着具で固定してある。なお、図においては、主持部材を上板側に取り付けてあるが、下板側に取り付けることもできる。
【００１１】
上述の実施例においては、タ−ボ機構を構成するロ−タ−とステ−タ−として、図の如き構造を示してあるが、処理の目的等によりその他の種々の構成のロ−タ−とステ−タ−を用いることができる。
【００１２】
而して、上記タンク内において上記中心軸（２）を高速で、例えば約２０００r.p.m 等の回転数で回転し、上記ブレ−ド（９）を低速で、例えば約２０r.p.m 等の回転数で回転すると、処理液は高粘性材料であってもタンク内を万遍なく流動し、上記ロ−タ−（４）に吸い込まれてステ−タ−(11)の間隙を通過し、充分に混合、攪拌、分散等することができる。
【００１３】
【発明の効果】
本発明は上記のように構成され、ロ−タ−を回転する中心軸を回転筒を通してタンク内に延出し、上記回転筒にタンクの内壁に沿って回動するブレ−ドを取り付け、該ブレ−ドにロ−タ−方向に向けて支持部材を形成し、該支持部材に上記ロ−タ−を取り囲むステ−タ−を設けたので、上記中心軸を高速で回転し、回転筒を低速で回転することにより、上記ロ−タ−はステ−タ−の中心部で高速で回転し、タ−ボ機構による混合、攪拌、分散等を行うことができ、この際、上記タンクの内壁に沿ってブレ−ドが低速で回転し、タンク内の処理液の滞留を生じないようにできるから、高粘性材料であっても効率よく処理することができ、上記中心軸と回転筒が同芯で回転するから振動等も発生しないようにできるものである。
【図面の簡単な説明】
【図１】本発明の一実施例を示す断面図。
【図２】ロ−タ−部分等の一部を断面して示す平面図。
【図３】タ−ボ部分の拡大断面図。
【符号の説明】
１  タンク    ２  中心軸    ３  回転軸    ４  ロ−タ−    ６  ロ−タ−本体    ７  上部パドルブレ−ド    ８  下部パドルブレ−ド    ９  ブレ−ド
10  支持部材    11  ステ−タ−
【図１】
0003697648.tif 000002
【図２】
0003697648.tif 000003
【図３】
0003697648.tif 000004
(57)【特許請求の範囲】
【請求項１】
地中弁室を構成する既設のコンクリート擁壁部の上面の形状に嵌合する盤体から成り、該盤体外面と同心状に上方向に筒部を植設し、該筒部を挿入することを得るスカートを下方向に有する鉄蓋から成る地中弁室上部構造。
【発明の詳細な説明】
【０００１】
【産業上の利用分野】
本発明は、既設地中弁室が永年の使用に於いて、構成材料が下部のコンクリート擁壁部が健全であるに係わらず頭部、即ち鉄蓋部の破損が多く、道路改修時等に交換作業に便をなすことを得るべくなした構成に係る。
【０００２】
【従来の技術】
従来、この種の対応には従前どうりの同種の鉄蓋を交換材料として使用している。
【０００３】
【発明が解決しようとする課題】
本発明の目的とするところは、交換作業を行う当該製品は経年が永く、機能的に現在品に劣る点が多く、このため、交換前の頭部と異なる鉄蓋を既存のコンクリート擁壁部上部に簡単な作業で取付けることを得る方式を提供することを解決すべき技術的課題とする。
【０００４】
【課題を解決するための手段】
上記課題を解決するための技術的手段は、地中弁室を構成する既設のコンクリート擁壁部の上面の形状に嵌合する盤体から成り、該盤体外面と同心状に上方向に筒部を植設し、該筒部を挿入することを得るスカートを下方向に有する鉄蓋から成る地中弁室上部構造とするものである。
【０００５】
【作用】
本発明の作用を説明すると、既設地中弁室の頭部（鉄蓋）が破損、又は道路改修に伴って古くなった頭部（鉄蓋）を交換するに際し、該頭部（鉄蓋）を撤去し、残された健全なコンクリート擁壁上面に盤体を載置し、該盤体の筒部をガイドとして新規の鉄蓋のスカート部を係合することにより作業を完結するものである。尚、前記盤体と鉄蓋は予め結合しておいても可とするものであり、この場合は単純に全体をコンクリート擁壁上面に載置するだけとなるものである。
【０００６】
【実施例】
本発明の実施例を図面に基ずいて説明すると、図１に於いて１はずれ止め段部２を有するコンクリート擁壁、３は該コンクリート擁壁１の上面を覆い、外周にスカート４を有し、ずれ止め段部２と係合する段部５を有し、筒部６を一体に有する盤体、７は開閉する蓋体９を収納し、前記盤体３の筒部６に係合するスカート部８を有する鉄蓋組であり、図３に於いては該鉄蓋組７を、スカースカート部８を有し内ネジ１１を有する基台１０、該内ネジ１１と対応する外ネジ１３を有し開閉する蓋体９を収納する本体１２から成るネジ上下式鉄蓋組１４に組替えた状態を示すものである。尚、止めネジ１５は本体１２の旋回に伴う共回りを防ぐものである。
【０００７】
【発明の効果】
以上の如く本発明によれば、既設地中弁室に於いて頭部を交換する際、既設頭部を撤去後残された健全なコンクリート擁壁上面に鉄蓋組を組み込む盤体を載置するものであり、作業性は極めて良いものであり、更に、図３のネジ上下式鉄蓋組と組合せると路面高さの変化に対応して設置高さの変更が簡単に設定出来るものであり、構成も簡単で壊れ難い構造であり、有用性高いものである。
【図面の簡単な説明】
【図１】  本発明を実施した地中弁室上部構造の各部及びコンクリート擁壁上面部を分離状態とし、一部断面とした斜視図。
【図２】  図１の組付け状態の正面断面図。
【図３】  図２の鉄蓋組をネジ上下式鉄蓋組に組替えた状態の正面断面図。
【符号の説明】
１、    コンクリート擁壁              １２、    本体
３、    盤体                          １３、    外ネジ
７、    鉄蓋組                        １４、    ネジ上下式鉄蓋組
９、    蓋体基台
１０、  基台
１１、  内ネジ
７、    蓋
【図１】
0003697611.tif 000002
【図２】
0003697611.tif 000003
【図３】
0003697611.tif 000004
(57)【特許請求の範囲】
【請求項１】
セパレーターフィルターと、該セパレーターフィルターを経由して、大小に分別された魚類を収容する収容器を含む魚類選別装置であって、
前記セパレーターフィルターは、選別する魚類のサイズにあった間隔で、魚類の流れ方向に平行な複数の縦方向パイプ、前記縦方向パイプと直角方向の横方向パイプおよび前記縦方向パイプと前記横方向パイプを上下で結合する中間支持パイプからなり、前記中間支持パイプは、前記縦方向パイプと前記横方向パイプを上下方向でかつ魚類の流れ方向と平行に、上下に４５°の角度をもって傾斜結合し、しかも、前記縦方向パイプと前記横方向パイプを上下方向で傾斜結合する方向が前記縦方向パイプ１本毎に魚類の流れ方向に対して交互に前傾、及び後傾するように取り付けられていることを特徴とする魚類選別装置。
【発明の詳細な説明】
【０００１】
【産業上の利用分野】
本発明は、各種大小漁船において、あるいは魚類を水揚後陸上において、大小魚類の選別を行う魚類選別装置に関する。
【０００２】
【従来の技術】
従来の魚類選別装置には多くの種類があるが、大型であるとか、機構が複雑であるとかで、特に小型漁船には不向きであった。
例えば、特開平７−２０３７９８号公報の記載では、水平の選別槽（セパレーターフィルター）上への魚類の搬送にベルトコンベアなどの駆動手段を備え、あるいは、特許第２６３１２６９号の明細書に記載のように、上下に延びるジグザグの選別通路と、そこへの空気圧送手段を備えるなど、殆どが複雑な機構である。
また、比較的単純な方法として、魚類を投入口から選別槽に投入し、複数の格子状選別装置で選別する方法があるが、投入選別された魚類が降下する際、縦方向桟と横方向桟との間で詰まると言う問題があった。
【０００３】
【発明が解決しようとする課題】
本発明は上記課題を解決するためのものであり、構造が簡単で、魚類の目詰りがなく、安価で省力化可能な小型軽量の魚類選別装置を提供することを目的としている。
【０００４】
【課題を解決するための手段】
本発明は、セパレーターフィルターと、該セパレーターフィルターを経由して、大小に分別された魚類を収容する収容器を含む魚類選別装置であって、前記セパレーターフィルターは、選別する魚類のサイズにあった間隔で、魚類の流れ方向に平行な複数の縦方向パイプ、前記縦方向パイプと直角方向の横方向パイプおよび前記縦方向パイプと前記横方向パイプを上下で結合する中間支持パイプからなり、前記中間支持パイプは、前記縦方向パイプと前記横方向パイプを上下方向でかつ魚類の流れ方向と平行に、上下に４５°の角度をもって傾斜結合し、しかも、前記縦方向パイプと前記横方向パイプを上下方向で傾斜結合する方向が前記縦方向パイプ１本毎に魚類の流れ方向に対して交互に前傾、及び後傾するように取り付けられていることを特徴とする。
【０００５】
【発明の実施の形態】
本発明による魚類選別装置は、図１に示す通り、魚類噴射投入装置（図示なし）、セパレーターボックス１、セパレーターフィルター２、収容器３、４から構成されている。
【０００６】
魚類は、魚類噴射投入装置からセパレーターフィルター２に噴出され、セパレーターフィルターサイズによって選別される。セパレーターフィルターサイズより大きい魚類はフィルター上を通過してシュートを通り収容器３に収容される。セパレーターフィルターサイズより小さい魚類はフィルターの格子間を落下して、別の収容器４に収容される。
【０００７】
図２は本発明の魚類選別装置のセパレーターフィルター２を示す斜視図である。
セパレーターフィルター２は、ステンレスパイプからできており、魚類の供給方向と平行な方向に、縦方向パイプ５が複数本並べてあり、その幅は魚類のサイズに合わせて変えることが出来るようになっている。この様な縦方向パイプ５は、中間支持パイプ７、８を介して横方向のパイプ６と固定されている。
【０００８】
縦方向パイプ５、横方向パイプ６及び中間支持パイプ７、８は溶接で結合されているが、縦方向パイプ５と横方向パイプ６をつなぐ中間支持パイプ７、８は、第２図の通り、横方向パイプと４５°の角度をもって横方向パイプと結合されており、しかも、その方向が交互に逆方向になるように取り付けられている。この様にすることで、セパレーターフィルター部から落下する魚類が詰まるのを防止することが出来る。
【０００９】
中間支持パイプ７、８が、縦方向パイプと直角に取り付けられている場合や、ある角度をもって取り付けられている場合でも、同方向に取り付けられている場合には落下してくる魚類がこの部分に詰まることが多い。
【００１０】
【発明の効果】
本発明による、魚類選別装置は、セパレーターフィルター２の構造に工夫を凝らしたことで選別時に魚の目詰りが起らないことが大きな特徴であるが、その構造が１段と単純になっているほか、重力による自然流下作用を採用することで、フィルター部の振動装置などの駆動部の構成が不要であるため、この部分のメンテナンスが不要であることのほか、コンパクトで場所を取らない、軽量、低価格、と言うメリットもある。
また、小型、軽量であるため、小型漁船に搭載できるというメリットがあるが、目詰りが起らないと言う特徴があるため、小型漁船にかかわらず、例えば、大中型漁船などの各種漁船や、陸上における水揚後の魚類選別にも使用できる。
【図面の簡単な説明】
【図１】本発明の魚類選別装置の主要部を示す断面図である。
【図２】本発明の魚類選別装置のセパレーターフィルターの斜視図である。
【符号の説明】
１  セパレーターボックス
２  セパレーターフィルター
３  収容器
４  収容器
５  縦方向パイプ
６  横方向パイプ
７  中間支持パイプ
８  中間支持パイプ
９  補強パイプ
【図１】
0003697613.tif 000002
【図２】
0003697613.tif 000003
(57)【特許請求の範囲】
【請求項１】
カウンターを支持するために壁面に固定されたブラケットに取り付けられたタオル掛けであって、該タオル掛けは、軸部と該軸部から水平に延びる回動バーで構成され、
該タオル掛けの前記軸部が、
前記ブラケットを壁面に固定させるビスを介し、該ブラケットに固定された断面コの字状のコの字金具に回動可能に取り付けられていることを特徴とするタオル掛け。
【請求項２】
前記カウンターは洗面ボウルを備え、前記タオル掛けは前記洗面ボウルの前部下方側に収納できることを特徴とする請求項１に記載のタオル掛け。
【発明の詳細な説明】
【０００１】
【産業上の利用分野】
この発明は、タオルを掛止可能なタオル掛けに関するものである。
【０００２】
【従来の技術及びその課題】
従来、洗面化粧台にタオル掛けを取り付ける場合、普通、洗面台のキャビネットの幕板の前面にタオル掛けを取り付ける場合が多いが、この場合、キャビネットの扉を開ける時にタオルが邪魔になる。そこで、実開昭６３−６８８８０号公報，実開昭６３−６８８８１号公報，実公平７−５５９８８号公報に開示されているように、タオル掛けそのものに回転軸を設け、扉使用時にタオルを避けることができるようなタオル掛けが考えられている。しかし、これには取り付けのためのキャビネットに幕板または側板が必要であり、キャビネットを備えない手洗いカウンターなどの場合には設置が不可能であった。
【０００３】
【課題を解決するための手段】
本発明は上記従来の問題点に鑑み案出したものであって、キャビネットに取付可能な部位が無い場合であっても設置可能なタオル掛けを提供せんことを目的とし、その第１の要旨は、カウンターを支持するために壁面に固定されたブラケットに取り付けられたタオル掛けであって、該タオル掛けは、軸部と該軸部から水平に延びる回動バーで構成され、該タオル掛けの前記軸部が、前記ブラケットを壁面に固定させるビスを介し、該ブラケットに固定された断面コの字状のコの字金具に回動可能に取り付けられていることである。
また、第２の要旨は、前記カウンターは洗面ボウルを備え、前記タオル掛けは前記洗面ボウルの前部下方側に収納できることである。
【０００４】
【実施例】
以下、本発明の実施例を図面に基づいて説明する。
図１は、カウンター１の斜視構成図であり、カウンター１には洗面ボウル２が一体形成されており、カウンター１はブラケット６，紙巻器Ｐによって壁に固定されている。また、カウンター１の上部には水栓金具３，バックカバー４が取り付けられ、バックカバー４には吐水口５が付けられている。また、洗面ボウル２の前縁部にもぐり込ませる形でキャビネットＫが壁に取り付けられ、キャビネットＫには収納用の扉が取り付けてある。
【０００５】
このカウンター１を支持するために壁面に固定されたブラケット６を利用して、このブラケット６にタオル掛け７が取り付けられたものとなっており、タオル掛け７は、水平面内で回動可能で、収納状態では洗面ボウル２の前部下方側にスッキリとした状態で収納されるものであり、使用する時には、前面側へ回動させてタオルを良好に掛止することができるように構成されている。
【０００６】
ブラケット６に対するタオル掛け７の取付構造を図２の拡大図で示すと、ブラケット６は、壁面Ｗにビス９等を介し固定される垂直片部６ａと、この垂直片部６ａの上端から一体状に水平に延びる水平片部６ｂで構成されており、このブラケット６の垂直片部６ａの前面に、断面コの字状のコの字金具８をビス９を利用して固定し、このコの字金具８には雌ネジを予め形成させておき、この雌ネジに対し下方よりネジ１０を螺合させて、ネジ１０の頭部１０ａをコの字金具８の下面側に配置させ、このネジ１０をコの字金具８に螺合する際にネジ１０の外周に回動可能に軸部１１を配置させておく。この軸部１１には一体状に水平に延びる回動バー１３が形成されており、ピン１２で固定されている。この軸部１１と回動バー１３によりタオル掛け７が構成されている。
【０００７】
従って、本例のタオル掛け７は、壁面Ｗに固定されるカウンター１支持用のブラケット６を利用して、このブラケット６に強固に取り付けられるものであるため、回動バー１３に上方側からの荷重が加えられた場合にも、十分に耐えることができるものとなる。
【０００８】
また、軸部１１を中心として回動バー１３を水平面内で良好に回動させ、使用しない時には、洗面ボウル２の下側のデッドスペースに収納させておくことができ、タオル掛け７が邪魔にならず、良好な収納状態を維持することができ、使用する時には、適宜前方側へ回動させて、使いやすい位置でタオルを掛けて使用することができるものとなり、キャビネットＫの扉開閉時に邪魔になることがない。
【０００９】
【発明の効果】
本発明のタオル掛けは、カウンターを支持するために壁面に固定されたブラケットに取り付けられたタオル掛けであって、該タオル掛けは、軸部と該軸部から水平に延びる回動バーで構成され、該タオル掛けの前記軸部が、前記ブラケットを壁面に固定させるビスを介し、該ブラケットに固定された断面コの字状のコの字金具に回動可能に取り付けられていることにより、タオル掛けは、壁面に固定されるカウンター支持用のブラケットを利用して、このブラケットに強固に取り付けられるものであるため、回動バーに上方側からの荷重が加えられた場合にも、十分に耐えることができるものとなる。
また、軸部を中心として回動バーを水平面内で良好に回動させ、使いやすい位置でタオルを掛けて使用することができるものとなる。
【００１０】
また、カウンターは洗面ボウルを備え、前記タオル掛けは前記洗面ボウルの前部下方側に収納できることにより、使用しない時には、洗面ボウルの下側のデッドスペースに収納させておくことができ、タオル掛けが邪魔にならず、良好な収納状態を維持することができ、使用する時には、適宜前方側へ回動させて、使いやすい位置でタオルを掛けて使用することができる。
【図面の簡単な説明】
【図１】  カウンターの設置状態の斜視構成図である。
【図２】  タオル掛けの取付状態の要部拡大構成図である。
【符号の説明】
１  カウンター
２  洗面ボウル
６  ブラケット
６ａ  垂直片部
６ｂ  水平片部
７  タオル掛け
８  コの字金具
９  ビス
１０  ネジ
１１  軸部
１３  回動バー
Ｋ  キャビネット
【図１】
0003697599.tif 000002
【図２】
0003697599.tif 000003